(57)【要約】膝固定具（１０）は表側の凸状面と裏側の凹状面とを有し、膝の上方から下方にかけて脚部の裏側に沿って設置される長形フレーム体（１２）と、フレーム体を脚部上に保持固定させるためにフレーム体から延び出す複数の保持部（１２Ａ〜１２Ｄ、１２Ｅ〜１２Ｇ）とを含んでいる。裏材（１６）はフレーム（１２）と脚部との間に提供され、緩衝材の機能を果たす。背骨材（１８）はフレーム体（１２）の表側上で、脚部の膝の上方から下方に対応する位置に提供され、脚部上でフレーム体を設定角度にて保持固定する。
2008539926.tif 000002
【特許請求の範囲】
【請求項１】
膝固定具であって、
(a)表側の凸状面と裏側の凹状面とを有し、膝の上方から下方にかけて脚部の裏側に沿って設置される長形フレーム体と、
(b)該フレーム体を脚部上に保持固定させるために該フレーム体から延び出す複数の保持部と、
(c)前記フレーム体の表側上で、脚部の膝の上方から下方に対応する位置に提供され、脚部上で該フレーム体を設定角度にて保持固定する背骨材と、
を含んで成ることを特徴とする膝固定具。
【請求項２】
保持部は脚部の外側と内側をそれぞれ延びるようにフレーム体から両側に延び出す延伸部を含んでいることを特徴とする請求項１記載の膝固定具。
【請求項３】
保持部は
(a)フレーム体と一体的に成型され、脚部の外側と内側を延びる位置に提供された複数の延伸部と、
(b)該延伸部のそれぞれの端部に設けられ、脚部を取り巻き、前記フレーム体を脚部の裏側上で維持固定するように長さ調整できるストラップを受領するスロットと、
を含んでいることを特徴とする請求項１記載の膝固定具。
【請求項４】
背骨材を着脱式に保持するため、フレーム体は複数の離れて提供された固定部材を含んでいることを特徴とする請求項１記載の膝固定具。
【請求項５】
第１剛質背骨材と第２剛質背骨材とを含んでおり、前記第１背骨材は第１対応角度でフレーム体を固定するための第１屈曲角を有しており、前記第２背骨材は第２対応角度でフレーム体を固定するための第２屈曲角を有しており、両背骨材は前記フレーム体に着脱式に固定できることを特徴とする請求項１記載の膝固定具。
【請求項６】
フレーム体と脚部との間に提供される裏材を含んでおり、脚部を前記フレーム体に直接的に接触させない緩衝材として機能させることを特徴とする請求項１記載の膝固定具。
【請求項７】
フレーム体は半剛質プラスチック材料で成型されていることを特徴とする請求項１記載の膝固定具。
【請求項８】
固定部材は背骨材に配置される螺子と、それら螺子と対応するようにフレーム体に設けられた螺子孔とを含んでいることを特徴とする請求項４記載の膝固定具。
【請求項９】
フレーム体の凹状面はフレーム体に裏材を固定する固定手段を含んでいることを特徴とする請求項１記載の膝固定具。
【請求項１０】
フレーム体は背骨材の角度に合わせることができるように膝の裏側に位置したフレキシブルな領域を含んでいることを特徴とする請求項１記載の膝固定具。
【請求項１１】
フレキシブル領域はフレーム体の横断方向に減少肉厚領域を含んでいることを特徴とする請求項１０記載の膝固定具。
【請求項１２】
膝固定具であって、
(a)表側の凸状面と裏側の凹状面とを有し、脚部の膝の上方から下方にかけて脚部の裏側に沿って設置される長形半剛質フレーム体と、
(b)該フレーム体と協調して、該フレーム体を脚部上に巻き付けて保持固定させるストラップ手段と、
(c)前記フレーム体と脚部との間に提供され、使用時には該フレーム体への脚部の直接的な接触を防止する緩衝材として機能するスペーサ裏材と、
(d)前記フレーム体を脚部上で設定角に保持固定するため、前記フレーム体上で脚部の膝の上方から下方の位置に提供される第１剛質背骨材と、
(e)該第１剛質背骨材の代用として、前記フレーム体を脚部上で設定角に保持固定するため、前記フレーム体上で脚部の膝の上方から下方の位置に提供される第２剛質背骨材と、
を含んで成ることを特徴とする膝固定具。
【請求項１３】
第１背骨材は膝を１０°以下の屈曲角で固定する角度にて成型されており、第２背骨材は膝を１０°から３０°の屈曲角で固定する角度にて成型されていることを特徴とする請求項１２記載の膝固定具。
【請求項１４】
第１背骨材と第２背骨材はプラスチック、金属、カーボンファイバー及びグラスファイバーで成る群から選択される１種以上の材料で成型されていることを特徴とする請求項１２記載の膝固定具。
【請求項１５】
ストラップ手段は、フレーム体と一体的に成型され、脚部の前方を越えて延びるフレキシブルな対応ストラップを受領する複数の両側に延びるストラップを含んでいることを特徴とする請求項１２記載の膝固定具。
【請求項１６】
フレーム体は熱可塑性材料で成型されていることを特徴とする請求項１２記載の膝固定具。
【請求項１７】
スペーサ裏材は裏材バッキングに積層されたベロア面布地を含んでいることを特徴とする請求項１２記載の膝固定具。
【請求項１８】
スペーサ裏材はベロア地、タオル地、開放気泡フォーム体、閉鎖気泡フォーム体、ナイロン地及びポリプロピレン地で成る群から選択される１種以上の材料で製造されることを特徴とする請求項１２記載の膝固定具。
【請求項１９】
フレーム体は左右対称であり、両脚部で同様に使用できることを特徴とする請求項１２記載の膝固定具。
【発明の詳細な説明】
【技術分野】
【０００１】
本発明は患者の脚部を完全伸張状態あるいは軽屈曲状態に維持するための患者脚部用膝固定具に関する。
【背景技術】
【０００２】
この膝固定具は軽量であり、脚部への適用及び取り外しが容易であるが、必要とされる膝部の固定効果は提供する。
【０００３】
膝固定は、後十字靭帯（ＰＣＬ）断裂後の保存、ＰＣＬ手術または再手術生後の術後治療、膝ＴＥＰ、膝蓋骨脱臼、靭帯断裂、半月板損傷及び膝蓋腱断裂後の一時的固定の処置である。
【０００４】
そのような場合の膝固定の効果を実証する臨床報告は存在する。多くの場合、靭帯及び腱にかかる緊張力を軽減するために膝を少々屈曲させた状態で固定する“軽屈曲”固定が望ましい。一般的に治療効果及び患者快適性の観点から２０°程度の膝屈曲角が適していると考えられている。
【発明の開示】
【発明が解決しようとする課題】
【０００５】
従って、本発明の１目的は完全伸張状態または設定屈曲状態で膝を固定する膝固定具の提供である。
【０００６】
本発明の別目的は軽量膝固定具の提供である。
【０００７】
本発明の別目的は左右どちらの脚部にでも使用が可能な膝固定具の提供である。
【課題を解決するための手段】
【０００８】
本発明のこれら及び他の目的は、膝の上方から下方にかけて脚部の裏側に沿って設置され、表側の凸状主要面と裏側の凹状主要面とを有した長形フレーム体と、脚部上に長形フレーム体を保持させるようにフレーム体と協調する複数の外側に延び出る保持部とを含む膝固定具を提供することで達成される。緩衝材としてフレーム体と脚部との間に裏材が提供され、脚部をフレーム体から保護する。背骨材がフレーム体の縦軸に沿って膝の上方から下方にかけてフレーム体上に提供され、脚部上で設定角度にてフレーム体を保持する。
【０００９】
本発明の１好適実施例によれば、保持部は脚部の外側面及び内側面でそれぞれセットとなってフレーム体から横方向に延び出ている横延伸部ペアを含む。
【００１０】
本発明の別好適実施例によれば、保持部は脚部の外側面と内側面にそれぞれ対応して提供されているフレーム体と一体的に提供された複数の横延伸部を含む。横延伸部の両端にはスロットが提供されており、脚部裏側上でフレーム体を固定させる長さ調整機能が付いた脚部ベルトをそれぞれ対応して受領する。
【００１１】
本発明の別好適実施例によれば、フレーム体は背骨材上で縦方向に間隔を開けて配置され、フレーム体に背骨材を着脱式に固定する固定部材を含む。
【００１２】
本発明のさらに別な好適実施例によれば、膝固定具は第１背骨材と第２背骨材とを含む。第１背骨材はフレーム体を脚部上に対応する第１角度で固定するための第１設定屈曲角を有しており、第２背骨材はフレーム体を脚部上に対応する第２角度で固定するための第２設定屈曲角を有している。第１背骨材及び第２背骨材はフレーム体上に着脱式に固定することができる。
【００１３】
好適には裏材はスペーサ布地である。
【００１４】
本発明のさらに別な好適実施例によれば、フレーム体は半剛質プラスチック材料で成型される。
【００１５】
本発明の別好適実施例によれば、固定部材は背骨材に提供される螺子とフレーム体に提供される対応螺子孔とを含む。
【００１６】
本発明の別好適実施例によれば、フレーム体の凹状面はフレーム体に裏材を固定する固定手段を含む。
【００１７】
本発明の別好適実施例によれば、フレーム体はフレーム体を背骨材の設定角度に適合させるために膝裏側に位置するフレキシブル領域を含む。
【００１８】
本発明の別好適実施例によれば、フレキシブル領域はフレーム体の横断方向に薄化領域を含む。
【００１９】
本発明の別好適実施例によれば、膝固定具は脚部の裏面に沿って膝の上方から下方にかけて取り付けられる表面の凸状主要面と裏面の凹状主要面とを有した長形半剛質フレーム体と、脚部周囲上でフレーム体を保持固定するようにフレーム体と協調して機能するストラップ手段とを含む。フレーム体と脚部とが直接的に接触することがないように緩衝材としてスペーサ裏材がフレーム体と脚部との間に提供される。脚部上でフレーム体を第１設定角に保持するため、第１剛質背骨材が脚部に沿って膝の上方から下方にかけてフレーム体上に提供されている。さらに第１剛質背骨材の代用である第２剛質背骨材が提供される。脚部上でフレーム体を第２設定角に保持するために第２剛質背骨材は脚部に沿って膝の上方から下方にかけてフレーム体上に提供されている。
【００２０】
本発明の別好適実施例によれば、第１背骨材は膝を屈曲角１０°以下の状態で固定する角度を有して成型されており、第２背骨部材は膝を屈曲角約１０°から約３０°の範囲の状態で固定する角度を有して成型されている。
【００２１】
本発明の別好適実施例によれば、第１背骨材並びに第２背骨材はプラスチック、金属、カーボンファイバー及びグラスファイバーで成る群から選択される材料で成型されている。
【００２２】
本発明のさらに別好適実施例によれば、ストラップ手段はフレーム体と一体的に形成され、脚部の前面を横断して延びるフレキシブルなストラップをそれぞれ受領する複数の対応ストラップを含んでいる。
【００２３】
本発明の別好適実施例によれば、フレーム体は熱可塑性材料で成型されている。
【００２４】
本発明の別好適実施例によれば、スペーサ裏材は裏バッキング材に積層されたベロア地を含む。
【００２５】
本発明の別好適実施例によれば、スペーサ裏材はベロア地、タオル地、開放気泡フォーム体、閉鎖気泡フォーム体、ナイロン地及びポリプロピレン地で成る群から選択される材料で製造される。
【００２６】
本発明の別好適実施例によれば、フレーム体は左右対称であり、左右いずれの脚部にでも利用できるように設計されている。
【発明を実施するための最良の形態】
【００２７】
図面を解説する。本発明の膝固定具１０は図１から図９にかけて図示されている。１好適実施例による膝固定具１０は４つの基本部材であるフレーム体１２、フレーム体１２を脚部に取り付けるための保持部１２Ａから１２Ｄ及び１２Ｅから１２Ｇ、保護用の緩衝裏材１６並びにフレーム体を所望角度で保持する背骨材１８を有している。あるいは膝固定具１０はフレーム体１２、保持部１２及び背骨材１８のみを含み、裏材は別体で用意された他の保護材により準備することもできる。
【００２８】
フレーム体１２は好適には２ｍｍ厚のポリエチレン（ＰＥ５００）であり、フレーム体１２に沿って端から端まで延びる３ｍｍ厚で６０ｍｍ幅の補強稜形部で成る。稜形部は一体的に成型することも、接着剤で一体化するように別体とすることも、あるいは３ｍｍシート材を使用し、２ｍｍ厚部分を形成するように研磨加工してもよい。
【００２９】
１好適実施例によればフレーム体１２は平坦シート材を熱加工して成型される。フレーム体１２を熱加工前あるいは熱加工後にシート材から切り出すことができる。別好適実施例によればフレーム体はポリエチレンで射出成型される。
【００３０】
フレーム体１２自体は比較的に細長く、脚部の裏側にのみ接触する。保持部１２Ａから１２Ｇは好適にはフレーム体１２と一体的に成型され、比較的に細く、脚部の外側及び内側の周囲を延びるが、脚部の前方側には届かず開放領域を提供する。図８と図９とで図示するようにこの開放領域は膝固定具の重量を軽減しており、膝固定具の利用を容易にし、着用者の快適性に貢献する。保持部１２Ａから１２Ｇの比較的に細い幅は５０ｍｍ程度であり、脚部周囲におけるフレキシビリティの提供に貢献し、一体的に形成されたフレーム体１２に高剛質性を与えている。好適にはフレーム体１２は左右対称であり、膝固定具１０を左右どちらの脚部にでも利用可能にしている。
【００３１】
全長５０ｃｍの膝固定具１０であれば大抵の脚部で利用が可能である。もちろん５０ｃｍよりも長いサイズあるいは短いサイズのものでも利用が可能であり、それぞれ長身の成人と小柄な成人あるいは小児用とすることができる。５ｃｍ追加すればどんなに背が高い成人にも利用可能になろう。
【００３２】
保持部１２Ａから１２Ｇは好適にはフレキシブルなストラップ２４を受領するためのスロット２２が設けられた拡大端部２０を含む。図２参照。ストラップ２４は例えば保持部１２Ａと１２Ｅである両側の保持部のスロット２２を通すことができる。そして、例えばストラップ２４に提供された面ファスナーで固定することができる。
【００３３】
裏材１６は好適には、ベロア地、タオル地、開放気泡フォーム体、閉鎖気泡フォーム体、ナイロン地、ポリプロピレン地または他の合成布地あるいはそれらの組み合わせである合成スペーサ布地で形成される。特に好適な実施例においては、裏材１６はベロア地に積層されたＢＲＥＡＴＨＯＰＲＥＮＥの商標で販売されている合成繊維スペーサで形成される。好適にはベロア地はフレーム体１２の内側の凹状面と接触し、フレーム体１２の凹状面に取り付けられた面ファスナーのパッチ２６で保持される。よって、裏材１６は必要に応じて取り外し、交換できる。あるいは裏材１６を、例えばスプレー接着剤、液体接着剤または固体接着剤、両面テープ、スナップ留具、ポップリベットあるいは他のタイプのタッチファスナーで永久式あいは着脱式にフレーム体１２に固定することができる。
【００３４】
前述のように、膝固定具１０の特徴は、フレーム体自体は比較的に薄くて軽量で半剛質であっても、膝固定具１０により膝を固定する角度を設定できることである。このことは１好適実施例においては背骨材１８によって達成される。背骨材１８は好適には非常に剛質であり、プラスチック、金属、カーボンファイバー樹脂またはグラスファイバーあるいはそれらまたは類似材料の組み合わせによって成型される。グラスファイバー/カーボンファイバー樹脂強化材料が背骨材１８を製造する１つの好適な材料である。
【００３５】
１好適実施例では背骨材１８はアルミニウム製であり、背骨材１８の孔部３２を通過してフレーム体１２の螺子孔３４内に延び入る螺子３０によってフレーム体１２に固定されている。別実施例ではスナップ留具、リベット、あるいはキー・スロット手段または雌雄両性の“茸型”または“弓型”固定具のごときタッチ式固定具で固定される。
【００３６】
図１から図６及び図８で示す背骨材１８は約１０°屈曲しており、膝の完全伸直状態を提供する。靭帯や腱の緊張を緩めることが望まれる等、膝の屈曲が所望されるとき、背骨材４０は背骨材１８のごとくに製造されるが、約３０°の屈曲角が提供され、膝は約２０°屈曲される。
【００３７】
あるいは背骨材を使用前に適当な力で適正な角度に形成できるが、使用中にはその屈曲角を維持するだけの充分な剛性を有した材料により製造することができる。
【００３８】
背骨材１８と４０の剛性は、選択された背骨材がフレーム体１２の表側の凸状面に固定されたとき、半剛性フレーム体１２が背骨材１８または４０の形状及び角度に合致するように選択される。フレーム体１２がフレーム体１２の構造に過剰な応力を加えることなく背骨材１８または４０に容易に合致する性能は、背骨材の湾曲が発生する位置にてフレーム体の横断方向に相対的にフレキシブルな領域４２を提供することで改善されている。図７と図４及び図５参照。好適にはフレキシブル領域４２はフレーム体１２の厚みを減少させることで提供される。刻目提供、多数の小孔提供、一体蝶番及び圧印加工等もフレキシビリティを増大させる技術である。
【００３９】
以上、本発明の膝固定具を解説した。本発明の種々な細部は本発明の範囲内で変更が可能である。以上の説明は本発明の解説のみを目的としており、本発明の制限は意図していない。本発明の範囲は「請求の範囲」に記載された通りである。
【図面の簡単な説明】
【００４０】
本発明のいくつかの目的は前述した。本発明の他の目的及び利点は以下の図面を利用した詳細な説明により明らかとなろう。
【図１】図１は本発明の１好適実施例による膝固定具の斜視図である。
【図２】図２は固定ストラップを備えた図１の膝固定具の斜視図である。
【図３】図３は図１の膝固定具の分解斜視図である。
【図４】図４は背骨材及び固定部材を示すフレーム体の表側を示す。
【図５】図５は図４の５−５線に沿った膝固定具の縦断面図である。
【図６】図６は完全延伸状態の膝固定具の側面図である。
【図７】図７は屈曲状態の膝固定具の側面図である。
【図８】図８は完全延伸状態で脚部上に取り付けられた膝固定具の側面図である。
【図９】図９は屈曲状態で脚部上に取り付けられた膝固定具の側面図である。
【図１】
2008539926.tif 000003
【図２】
2008539926.tif 000004
【図３】
2008539926.tif 000005
【図４】
2008539926.tif 000006
【図５】
2008539926.tif 000007
【図６】
2008539926.tif 000008
【図７】
2008539926.tif 000009
【図８】
2008539926.tif 000010
【図９】
2008539926.tif 000011
【手続補正書】
【提出日】平成20年4月30日(2008.4.30)
【手続補正１】
【補正対象書類名】特許請求の範囲
【補正対象項目名】全文
【補正方法】変更
【補正の内容】
【特許請求の範囲】
【請求項１】
膝固定具（１０）であって、
(a)表側の凸状面と裏側の凹状面とを有し、膝の上方から下方にかけて脚部の裏側に沿って設置される長形フレーム体（１２）と、
(b)前記長形フレーム体（１２）を脚部上に保持固定させるために該長形フレーム体（１２）から外側に延伸する複数の保持部と、
(c)前記長形フレーム体（１２）上で、脚部の膝の上方から下方にかけて該長形フレーム体（１２）の長軸に沿って提供され、脚部上で該長形フレーム体（１２）を所定の剛質延伸位置に維持する角度に形成された背骨材（１８、４０）と、
を含んで成り、前記長形フレーム体（１２）は自身を前記背骨材（１８、４０）の角度と一致させるように膝の前後に設置できるフレキシブル領域（４２）を含んでいることを特徴とする膝固定具（１０）。
【請求項２】
保持部は脚部の外側と内側にそれぞれ配置されるように長形フレーム体（１２）から両側に延び出す延伸部（１２Ａ〜１２Ｇ）を含んでいることを特徴とする請求項１記載の膝固定具（１０）。
【請求項３】
保持部は
(a)長形フレーム体（１２）と一体的に成型され、脚部の外側と内側にそれぞれ配置された複数の延伸部（１２Ａ〜１２Ｇ）と、
(b)前記延伸部（１２Ａ〜１２Ｇ）のそれぞれの端部に設けられ、脚部を取り巻き、前記長形フレーム体（１２）を脚部の裏側上で維持固定するように長さ調整できるストラップを受領するスロット（２２）と、
を含んでいることを特徴とする請求項１記載の膝固定具（１０）。
【請求項４】
背骨材（１８、４０）を着脱式に保持するために長形フレーム体（１２）は複数の離れて提供された固定部材（３０、３２、３４）を含んでいることを特徴とする請求項１記載の膝固定具（１０）。
【請求項５】
第１剛質背骨材（１８）と第２剛質背骨材（４０）とを含んでおり、前記第１背骨材（１８）は第１対応角度で長形フレーム体（１２）を固定するための第１屈曲角を有しており、前記第２背骨材（４０）は第２対応角度で前記長形フレーム体（１２）を固定するための第２屈曲角を有しており、両背骨材（１８、４０）は前記長形フレーム体（１２）に着脱式に固定できることを特徴とする請求項１記載の膝固定具（１０）。
【請求項６】
長形フレーム体（１２）と脚部との間に提供される裏材（１６）を含んでおり、脚部を前記長形フレーム体（１２）に直接的に接触させない緩衝材として機能させることを特徴とする請求項１記載の膝固定具（１０）。
【請求項７】
長形フレーム体（１２）は半剛質プラスチック材料で成型されていることを特徴とする請求項１記載の膝固定具（１０）。
【請求項８】
固定部材は背骨材（１８、４０）に配置される螺子（３０）と、それら螺子（３０）と対応するように長形フレーム体（１２）に設けられた螺子孔（３４）とを含んでいることを特徴とする請求項４記載の膝固定具（１０）。
【請求項９】
長形フレーム体（１２）の凹状面は該長形フレーム体（１２）に裏材を固定する固定手段を含んでいることを特徴とする請求項１記載の膝固定具（１０）。
【請求項１０】
フレキシブル領域（４２）は長形フレーム体（１２）の横断方向に減少肉厚領域を含んでいることを特徴とする請求項１記載の膝固定具（１０）。
【請求項１１】
膝固定具（１０）であって、
(a)表側の凸状面と裏側の凹状面とを有し、脚部の膝の上方から下方にかけて脚部の裏側の長軸に沿って設置される長形半剛質フレーム体（１２）と、
(b)前記長形フレーム体（１２）と協調して、該長形フレーム体（１２）を脚部上に巻き付けて保持固定させるストラップ手段と、
(c)前記長形フレーム体（１２）と脚部との間に提供され、使用時には該長形フレーム体（１２）への脚部の直接的な接触を防止する緩衝材として機能するスペーサ裏材と、
(d)前記長形フレーム体（１２）を脚部上で所定の第１剛質延伸位置にて保持するため、脚部の長軸と整合状態で膝の上方から下方にかけて該長形フレーム体（１２）の長軸に沿って該長形フレーム体（１２）上に配置されるように提供される第１剛質背骨材（１８）と、
(e)前記第１剛質背骨材（１８）の代用として、前記長形フレーム体（１２）を脚部上で所定の第２剛質延伸位置にて保持するため、脚部の長軸と整合状態で膝の上方から下方にかけて該長形フレーム体（１２）の長軸に沿って該長形フレーム体（１２）上に配置されるように提供される第２剛質背骨材（１８）と、
を含んで成ることを特徴とする膝固定具（１０）。
【請求項１２】
第１背骨材（１８）は膝を１０°以下の屈曲角で固定する角度にて成型されており、第２背骨材（４０）は膝を１０°から３０°の屈曲角で固定する角度にて成型されていることを特徴とする請求項１１記載の膝固定具（１０）。
【請求項１３】
第１背骨材（１８）と第２背骨材（４０）はプラスチック、金属、カーボンファイバー及びグラスファイバーで成る群から選択される１種以上の材料で成型されていることを特徴とする請求項１１記載の膝固定具（１０）。
【請求項１４】
ストラップ手段は、長形フレーム体（１２）と一体的に成型され、脚部の前方を越えて延伸するフレキシブルなストラップ（２４）を受領する複数の両側に延伸するストラップを含んでいることを特徴とする請求項１１記載の膝固定具（１０）。
【請求項１５】
長形フレーム体（１２）は熱可塑性材料で成型されていることを特徴とする請求項１１記載の膝固定具（１０）。
【請求項１６】
スペーサ裏材（１６）は裏材バッキングに積層されたベロア面布地を含んでいることを特徴とする請求項１１記載の膝固定具（１０）。
【請求項１７】
スペーサ裏材（１６）はベロア地、タオル地、開放気泡フォーム体、閉鎖気泡フォーム体、ナイロン地及びポリプロピレン地で成る群から選択される１種以上の材料で製造されることを特徴とする請求項１１記載の膝固定具（１０）。
【請求項１８】
長形フレーム体（１２）は左右対称であり、両脚部で同様に使用できることを特徴とする請求項１１記載の膝固定具（１１）。
【国際調査報告】
2008539926.tif 000012
2008539926.tif 000013
2008539926.tif 000014
2008539926.tif 000015
2008539926.tif 000016